(57)【要約】【課題】監視対象となる機器の状態を容易に確認する。【解決手段】設備機器１２０に対する制御内容が制御種類毎に蓄積されたデータベース１０５と、制御内容または、設備機器１２０が制御内容に従って動作した制御結果を表示出力する出力部１０３と、制御内容または制御結果を、制御種類毎に階層的に出力部１０３にて表示出力する演算部１０４とを有する。【選択図】図１
2013197931.tif 000002
【特許請求の範囲】
【請求項１】
複数の機器の状態を集中監視する中央監視装置であって、
前記複数の機器に対する制御内容が制御種類毎に蓄積されたデータベースと、
前記制御内容または、前記複数の機器が前記制御内容に従って動作した制御結果を表示出力する出力手段と、
前記制御内容または制御結果を、前記制御種類毎に階層的に前記出力手段にて表示出力する演算手段とを有する中央監視装置。
【請求項２】
請求項１に記載の中央監視装置において、
前記演算手段は、前記制御種類毎に前記制御内容または制御結果についての最上位階層の情報のみを前記出力手段にて表示出力した後、前記制御種類が指定された場合、当該制御種類の前記制御内容または制御結果についての下位階層の情報を前記出力手段にて一覧表示する中央監視装置。
【請求項３】
請求項１に記載の中央監視装置において、
前記演算手段は、前記制御内容または制御結果を、前記制御種類毎にまとめて前記出力手段にて表示出力する中央監視装置。
【請求項４】
請求項１乃至３のいずれか１項に記載の中央監視装置において、
前記演算手段は、前記制御内容が前記複数の機器にて実施された場合、その旨を示す情報によって前記データベースを更新する中央監視装置。
【請求項５】
請求項１乃至４のいずれか１項に記載の中央監視装置において、
前記演算手段は、前記制御内容に対する制御結果を取得した場合、当該制御結果を示す情報によって前記データベースを更新する中央監視装置。
【発明の詳細な説明】
【技術分野】
【０００１】
本発明は、複数の機器の状態を集中監視する中央監視装置に関する。
【背景技術】
【０００２】
従来より、複数の機器の状態を集中監視することが行われている（例えば、特許文献１参照）。
【０００３】
図１０は、従来の中央監視装置にて表示される情報の一例を示す図である。
【０００４】
図１０に示すように、従来の中央監視装置においては、監視対象となる機器の状態が変化する度に、監視対象となる機器のＮｏ４０１、制御日時４０２、制御内容４０３及び制御結果４０４のそれぞれが、状態変化メッセージとして１行画面表示されている。
【先行技術文献】
【特許文献】
【０００５】
【特許文献１】特開平１０−２６８９３３号公報
【発明の概要】
【発明が解決しようとする課題】
【０００６】
上述したように、従来の中央監視装置においては、監視対象となる設備機器の状態が変化したり、故障・復旧したりする度に、その情報が状態変化メッセージとして画面表示される。そのため、数万点の設備機器を管理する場合や複数のビルを管理する場合には、１秒間に何十〜何百もの状態変化メッセージが画面表示することも有り得る。そのため、時間帯によっては状態変化メッセージが表示し終えるまで待つ必要があり、数多くの状態変化メッセージから機器が正常に動作しているかの確認が困難である。また、監視対象となる設備機器の制御日時と制御内容は把握できるものの、同時刻に複数の制御が発生すると、画面の表示限界を超えてしまい視認が困難となってしまう。また、多数の状態変化メッセージから、予め登録した通りのイベント制御やスケジュール制御が動作したのかを確認することが困難である。
【０００７】
本発明は、上述したような技術が有する問題点に鑑みてなされたものであって、監視対象となる機器の状態を容易に確認することができる中央監視装置を提供することを目的とする。
【課題を解決するための手段】
【０００８】
上記目的を達成するために本発明は、
複数の機器の状態を集中監視する中央監視装置であって、
前記複数の機器に対する制御内容が制御種類毎に蓄積されたデータベースと、
前記制御内容または、前記複数の機器が前記制御内容に従って動作した制御結果を表示出力する出力手段と、
前記制御内容または制御結果を、前記制御種類毎に階層的に前記出力手段にて表示出力する演算手段とを有する。
【発明の効果】
【０００９】
本発明によれば、複数の機器に対する制御内容や、複数の機器が制御内容に従って動作した制御結果を、制御種類毎に階層的に表示出力するため、一度に表示出力される情報量が削減され、監視対象となる機器の動作を容易に確認することができる。また、制御内容や制御結果が制御種類毎に階層的に表示出力されることにより、監視対象となる機器の動作内容について、関連性の理解が容易に行える。
【図面の簡単な説明】
【００１０】
【図１】本発明の中央監視装置の実施の一形態を示す図である。
【図２】図１に示したデータベースに蓄積された情報を示す図である。
【図３】図１に示したデータベースに蓄積された情報を示す図である。
【図４】図１に示した出力部に表示出力される情報を示す図である。
【図５】図１に示した出力部に表示出力される情報を示す図である。
【図６】図１に示した出力部に表示出力される情報を示す図である。
【図７】図１に示した出力部に表示出力される情報を示す図である。
【図８】図１に示した出力部に表示出力される情報を示す図である。
【図９】図１に示した出力部に表示出力される情報を示す図である。
【図１０】従来の中央監視装置にて表示される情報の一例を示す図である。
【発明を実施するための形態】
【００１１】
以下に、本発明の実施の形態について図面を参照して説明する。
【００１２】
図１は、本発明の中央監視装置の実施の一形態を示す図である。
【００１３】
本形態は、図１に示すように、設備機器１２０を管理するリモートステーション１１０に接続可能に構成され、設備機器１２０を集中監視するセンター装置１００である。
【００１４】
センター装置１００は、操作部１０１と、演算部１０４と、データベース１０５と、通信部１０６とを有しており、操作部１０１は、主にキーボードやマウスからの入力情報を演算部１０４へ渡す入力部１０２と、機器状態等をメッセージや画面情報として表示出力する出力部１０３とを備えている。
【００１５】
リモートステーション１１０は、機器コントローラ１１１と、センター装置１００と通信を行うための通信部１１２とを有している。
【００１６】
演算部１０４は、入力部１０２からの情報に基づいて、機器コントローラ１１１への制御情報を送信し、データベース１０５を更新する。また、設備機器１２０に対する制御内容や、その制御内容に従って設備機器１２０が動作した制御結果となる状態変化により、出力部１０３へメッセージや画面情報を出力する。
【００１７】
データベース１０５は、設備機器１２０の定義データや、イベント制御・スケジュール制御等のプログラムや、出力部１０３へ出力する画面データを蓄積し、演算部１０４からの要求に応じたデータを送受信する。
【００１８】
機器コントローラ１１１は、演算部１０４からの要求に従い、対象の設備機器１２０の操作を行う。
【００１９】
設備機器１２０は、受変電設備・照明設備・熱源設備・空調設備・衛生設備・防災設備・防犯設備・検針器等、ビル内に設置される機器である。
【００２０】
以下に、上記のように構成されたシステムにおける動作について説明する。
【００２１】
図２及び図３は、図１に示したデータベース１０５に蓄積された情報を示す図である。
【００２２】
ここでは、データベース１０５に、図２に示すようなイベント制御２００が制御種類の１つとして蓄積されるとともに、図３に示すようなスケジュール制御３００が制御種類の１つとして蓄積されており、１Ｆ防犯信号が６：５９：５９に“警戒”から“解除”へ状態変化する場合を想定して説明する。
【００２３】
図２に示すイベント制御２００には、制御名称２０１、制御条件２０２、制御機器２０３及び制御内容２０４が含まれている。また、図３に示すスケジュール制御３００には、制御名称３０１、制御条件３０２、制御機器３０３及び制御内容３０４が含まれている。このように、データベース１０５には、その制御種類毎に設備機器１２０に対する制御内容が蓄積されている。
【００２４】
まず、設備機器１２０の１Ｆ防犯信号が状態変化を起こすと、機器コントローラ１１１がこの状態変化を感知し、この状態変化に応じた制御日時・制御種類・制御内容・制御結果を、通信部１０６，１１２を経由して演算部１０４に送信する。
【００２５】
すると、演算部１０４は、これらの情報を用いてデータベース１０５を更新するとともに、出力部１０３に状態変化メッセージとして表示出力する。
【００２６】
次に、演算部１０４は、データベース１０５に予め蓄積していたイベント制御０００１の条件が成立したことで、機器コントローラ１１１へ制御機器２０３と制御内容２０４を送信する。
【００２７】
機器コントローラ１１１は、受信した情報に従って各設備機器１２０の制御を行い、制御日時・制御種類・制御内容・制御結果を演算部１０４へ返信する。演算部１０４は、これらの情報を取得すると、その情報によって再びデータベース１０５を更新すると同時に、出力部１０３へ状態変化メッセージとしてイベント制御０００１が動作したことを出力する。
【００２８】
また、演算部１０４は、データベースに予め登録していたスケジュール制御０００１の条件が成立すると、制御機器３０３と制御内容３０４を機器コントローラ１１１へ送信し、機器コントローラ１１１は、受信した情報に従って各設備機器１２０の制御を行い、制御日時・制御種類・制御内容・制御結果を演算部１０４へ返信する。
【００２９】
演算部１０４は、これらの情報でデータベース１０５を更新するとともに、出力部１０３にて状態変化メッセージとしてスケジュール制御０００１が動作したことを表示出力する。
【００３０】
図４は、図１に示した出力部１０３に表示出力される情報を示す図である。
【００３１】
図４に示すように、出力部１０３に表示出力される状態変化メッセージ５００には、その番号５０１、制御日時５０２、制御種類５０３、制御内容５０４及び制御結果５０５が表示されるが、演算部１０４の制御によって、制御種類毎にその最上位階層についてのみ表示される。
【００３２】
そのため、図１０に示した状態変化メッセージと比較して、表示件数が２１件から３件へ削減されている。
【００３３】
図５及び図６は、図１に示した出力部１０３に表示出力される情報を示す図である。
【００３４】
図５及び図６に示すように、図４に示した状態変化メッセージに対して特定の制御種類の制御内容が指定された場合に、その制御種類の下位階層の制御内容を別ウインドウで一覧表示するようにしてもよい。
【００３５】
図７及び図８は、図１に示した出力部１０３に表示出力される情報を示す図である。
【００３６】
図７及び図８に示すように、図４に示した状態変化メッセージに対して特定の制御種類の制御結果が指定された場合に、その制御種類の下位階層の制御結果を別ウインドウで一覧表示するようにしてもよい。
【００３７】
このように、状態変化メッセージにイベント制御やスケジュール制御等の制御種類を表示し、さらに状態変化メッセージから制御内容と制御結果を確認できるため、監視対象となる機器の動作内容について、関連性の理解が容易に行える。
【００３８】
（他の実施の形態）
図９は、図１に示した出力部１０３に表示出力される情報を示す図である。
【００３９】
図９に示すように、演算部１０４の制御によって、状態変化メッセージ５００の表示画面に、制御結果５０８，５０９の詳細内容を制御種類毎にまとめて表示することも考えられる。なお、本形態において、制御結果５０８，５０９の詳細内容については、表示と非表示を任意に切替可能なものとする。
【００４０】
本形態においても、上述した実施の形態に示したものと同様の効果が得られる。
【００４１】
本発明は、データベースに予め登録されたイベント制御やスケジュール制御で機器操作が可能な監視設備に適用できる。
【符号の説明】
【００４２】
１００    センター装置
１０１    操作部
１０２    入力部
１０３    出力部
１０４    演算部
１０５    データベース
１０６，１１２    通信部
１１０    リモートステーション
１１１    機器コントローラ
１２０    設備機器
【図１】
2013197931.tif 000003
【図２】
2013197931.tif 000004
【図３】
2013197931.tif 000005
【図４】
2013197931.tif 000006
【図５】
2013197931.tif 000007
【図６】
2013197931.tif 000008
【図７】
2013197931.tif 000009
【図８】
2013197931.tif 000010
【図９】
2013197931.tif 000011
【図１０】
2013197931.tif 000012